(57)【要約】【課題】硬貨処理装置の記憶情報の収集を容易に行うことが可能な硬貨処理装置の制御装置および方法を提供する。【解決手段】記憶情報の収集を示す情報を記憶されたＩＣコイン１９は自動販売機１に投入されると、アンテナ部２０に到達して一時的に保留され、アンテナ２１はＩＣコイン１９に記憶された情報を読み出し、アンテナ制御部１７は情報が硬貨処理装置３の記憶情報を収集するものであると認識した場合、制御部９は情報記憶部１８に記憶している記憶情報をアンテナ制御部１７に送り、アンテナ制御部１７はＩＣコイン１９に記憶情報を書き込み、記憶情報の書き込みが終了すると、保留されているＩＣコイン１９をアンテナ部２０から返却口に戻す。【選択図】  図３
2004206420.tif 000002
【特許請求の範囲】
【請求項１】
自動販売機に投入された硬貨およびコイン型のＩＣコインの処理を行う硬貨処理装置の制御装置において、
硬貨投入口から投入された前記ＩＣコインを識別する識別手段と、
前記識別手段で識別した硬貨およびＩＣコインを振り分ける振分手段と、
前記振分手段で振り分けられたＩＣコインに対して情報の読み取り若しくは書き込みを行う情報読取書込手段と、
前記情報読取書込手段で読み取った情報の内容を解析する情報解析手段と、
前記情報解析手段により前記情報読取書込手段で読み取った情報が前記硬貨処理装置に蓄積された記憶情報の収集依頼であると解析された場合は、該解析された情報に基づいて該記憶情報を前記ＩＣコインに対して書き込む情報書込制御手段と
を具備することを特徴とする硬貨処理装置の制御装置。
【請求項２】
前記記憶情報は、
前記硬貨処理装置の稼動履歴情報、設定情報、制御ソフトウェアのバージョン情報である
ことを特徴とする請求項１記載の硬貨処理装置の制御装置。
【請求項３】
前記情報解析手段により前記情報読取書込手段で読み取った情報が前記自動販売機に蓄積された記憶情報の収集依頼であると解析された場合は、該解析された収集依頼を、該自動販売機と前記硬貨処理装置とを接続する通信手段を介して該自動販売機に送信する送信手段と、
前記収集依頼により前記自動販売機から送信された記憶情報を受信する受信手段と
を更に具備し、
前記情報書込制御手段は
前記受信手段で受信した前記記憶情報を前記ＩＣコインに対して書き込む
ことを特徴とする請求項１記載の硬貨処理装置の制御装置。
【請求項４】
自動販売機に投入された硬貨およびコイン型のＩＣコインの処理を行う硬貨処理装置の制御方法において、
硬貨投入口から投入された前記ＩＣコインを識別し、
該識別した硬貨およびＩＣコインを振り分け、
該振り分けられたＩＣコインに対して情報の読み取りを行い、
該読み取った情報の内容を解析し、
前記情報が前記硬貨処理装置に蓄積された記憶情報の収集依頼であると解析された場合は、該解析された情報に基づいて該記憶情報を前記ＩＣコインに対して書き込む
ことを特徴とする硬貨処理装置の制御方法。
【請求項５】
前記記憶情報は、
前記硬貨処理装置の稼動履歴情報、設定情報、制御ソフトウェアのバージョン情報である
ことを特徴とする請求項４記載の硬貨処理装置の制御方法。
【請求項６】
前記情報が前記自動販売機に蓄積された記憶情報の収集依頼であると解析された場合は、該解析された収集依頼を、該自動販売機と前記硬貨処理装置とを接続する通信手段を介して該自動販売機に送信し、
前記収集依頼により前記自動販売機から送信された記憶情報を受信し、
該受信した前記記憶情報を前記ＩＣコインに対して書き込む
ことを特徴とする請求項４記載の硬貨処理装置の制御方法。
【発明の詳細な説明】
【０００１】
【発明の属する技術分野】
本発明は、硬貨処理装置の制御装置および方法に関し、特に、コイン型のＩＣコインを用いて自動販売機および自動販売機に搭載された硬貨処理装置の記憶情報を収集する硬貨処理装置の制御装置および方法に関する。
【０００２】
【従来の技術】
近年、自動販売機に投入された硬貨を処理する硬貨処理装置において、自動販売機の設置場所により製品の汚れ具合、部品の消耗具合が異なり、自動販売機毎に適切なメンテナンス時期を把握する目的で、硬貨処理装置が稼動履歴情報等の記憶情報を蓄積していることが多くなっている。なお、稼動履歴情報とは、販売回数、エラー情報および受入率等の情報である。
【０００３】
【発明が解決しようとする課題】
しかし、市場で稼動している自動販売機に対して、硬貨処理装置の記憶情報を収集等する場合、自動販売機の管理者は販売を一時停止し、自動販売機の扉を開ける必要がある。そして、自動販売機内に設けられている硬貨処理装置の記憶情報を収集するためには、硬貨処理装置にＰＣ（Personal Computer）等の情報端末を接続して記憶情報の確認および保存を行う方法、または、硬貨処理装置と自動販売機の主制御装置とを接続する通信ラインを介して、記憶情報を自動販売機の主制御装置に吸い上げて自動販売機に設けられている表示部等で記憶情報を表示して確認する方法等を行わなければならなかった。また、情報端末を接続するためのコネクタ等が装置内部に設けられている硬貨処理装置の場合は、構成部品の分解等の作業を行わなければならないので、前準備に時間を費やしてしまう。従って、記憶情報を収集する際には、全体的な作業に時間が掛かってしまう問題があった。
【０００４】
そこで、本発明は、コイン型のＩＣコインを用いることで、硬貨処理装置の記憶情報の収集を容易に行うことが可能な硬貨処理装置の制御装置および方法を提供することを目的とする。
【０００５】
【課題を解決するための手段】
上記目的を達成するため、請求項１の発明は、自動販売機に投入された硬貨およびコイン型のＩＣコインの処理を行う硬貨処理装置の制御装置において、硬貨投入口から投入された前記ＩＣコインを識別する識別手段と、前記識別手段で識別した硬貨およびＩＣコインを振り分ける振分手段と、前記振分手段で振り分けられたＩＣコインに対して情報の読み取り若しくは書き込みを行う情報読取書込手段と、前記情報読取書込手段で読み取った情報の内容を解析する情報解析手段と、前記情報解析手段により前記情報読取書込手段で読み取った情報が前記硬貨処理装置に蓄積された記憶情報の収集依頼であると解析された場合は、該解析された情報に基づいて該記憶情報を前記ＩＣコインに対して書き込む情報書込制御手段とを具備することを特徴とする。
【０００６】
また、請求項２の発明は、請求項１の発明において、前記記憶情報は、前記硬貨処理装置の稼動履歴情報、設定情報、制御ソフトウェアのバージョン情報であることを特徴とする。
【０００７】
また、請求項３の発明は、請求項１の発明において、前記情報解析手段により前記情報読取書込手段で読み取った情報が前記自動販売機に蓄積された記憶情報の収集依頼であると解析された場合は、該解析された収集依頼を、該自動販売機と前記硬貨処理装置とを接続する通信手段を介して該自動販売機に送信する送信手段と、前記収集依頼により前記自動販売機から送信された記憶情報を受信する受信手段とを更に具備し、前記情報書込制御手段は前記受信手段で受信した前記記憶情報を前記ＩＣコインに対して書き込むことを特徴とする。
【０００８】
また、請求項４の発明は、自動販売機に投入された硬貨およびコイン型のＩＣコインの処理を行う硬貨処理装置の制御方法において、硬貨投入口から投入された前記ＩＣコインを識別し、該識別した硬貨およびＩＣコインを振り分け、該振り分けられたＩＣコインに対して情報の読み取りを行い、該読み取った情報の内容を解析し、前記情報が前記硬貨処理装置に蓄積された記憶情報の収集依頼であると解析された場合は、該解析された情報に基づいて該記憶情報を前記ＩＣコインに対して書き込むことを特徴とする。
【０００９】
また、請求項５の発明は、請求項４の発明において、前記記憶情報は、前記硬貨処理装置の稼動履歴情報、設定情報、制御ソフトウェアのバージョン情報であることを特徴とする。
【００１０】
また、請求項６の発明は、請求項４の発明において、前記情報が前記自動販売機に蓄積された記憶情報の収集依頼であると解析された場合は、該解析された収集依頼を、該自動販売機と前記硬貨処理装置とを接続する通信手段を介して該自動販売機に送信し、前記収集依頼により前記自動販売機から送信された記憶情報を受信し、該受信した前記記憶情報を前記ＩＣコインに対して書き込むことを特徴とする。
【００１１】
【発明の実施の形態】
以下、本発明に係わる硬貨処理装置の制御装置および方法の実施の形態について添付図面を参照して詳細に説明する。
【００１２】
本発明に係わる硬貨処理装置の制御装置および方法の第１の実施の形態について説明する。
【００１３】
図１は、本発明に係わる自動販売機の制御方法および装置の第１の実施の形態における自動販売機１内部の構成の一例を示すブロック図である。
【００１４】
図１に示すように、自動販売機１は自動販売機の主制御装置２、硬貨処理装置３、紙幣処理装置４、商品払出制御装置５、表示装置６、キー入力装置７から構成されている。
【００１５】
ここで、自動販売機の主制御装置２は、自動販売機１全体の制御および処理等を行うとともに、シリアル通信バス８を介して接続された硬貨処理装置３、紙幣処理装置４、商品払出制御装置５、表示装置６、キー入力装置７を制御する。また、紙幣処理装置４に投入された紙幣の金額情報および硬貨処理装置３に投入された硬貨およびコイン型のＩＣコイン（以下、ＩＣコインとする）の金額情報を受け取り、これらの金額と商品の販売価格とを比較して、商品払出制御装置５に商品の払出指示を出す。
【００１６】
また、硬貨処理装置３は、投入された硬貨およびＩＣコインを選別し、硬貨の場合、材質および形状等に基づいて硬貨の正偽および金種を識別して収金する等の硬貨処理を行うとともに、硬貨の金額を演算し、算出した金額情報を自動販売機の主制御装置２に送出し、一方ＩＣコインの場合、ＩＣコインの記憶領域への情報の読み書きを行う。
【００１７】
また、紙幣処理装置４は、投入された紙幣を印刷模様等に基づいて紙幣の正偽および金種を識別し、紙幣を収金するとともに、紙幣の金額を演算し、算出した金額情報を自動販売機の主制御装置２に送出する。
【００１８】
また、商品払出制御装置５は、自動販売機の主制御部２からの指示に基づいて商品の搬送および払い出し等の制御を行う。
【００１９】
また、表示装置６は、商品展示用のパネルディスプレイの表示、投入された硬貨、紙幣およびＩＣコインの金額情報の表示等を制御する。
【００２０】
また、キー入力装置７は、自動販売機１の各種設定を入力するためのキー等である。
【００２１】
図２は、硬貨処理装置３内部の構成の一例を示すブロック図である。
【００２２】
図２に示すように、硬貨処理装置３は機能分散型システムにおける硬貨の処理を行う装置として制御部９、選別センサ１０、選別コイル１１、振分部１２、パスセンサ１３、払出モータ１４、エンプティスイッチ１５、データ交換制御部１６、アンテナ制御部１７、情報記憶部１８から構成されている。
【００２３】
ここで、制御部９は、中央演算処理装置（ＣＰＵ）等を有し、自動販売機の主制御装置２との間でデータの交換に基づいて釣銭等の硬貨の払い出す処理の制御、投入された硬貨の識別結果に対応して投入硬貨を振り分ける処理の制御および投入されたＩＣコインの記憶領域への情報の読み書きする処理の制御等を行う。
【００２４】
また、選別センサ１０は、硬貨処理装置３に投入されたのが硬貨であるかＩＣコインであるか選別する。現状のＩＣコインには、ＩＣコインである旨が判別できる程度の金属が取り付けられていて、選別センサ１０はその金属に基づいてＩＣコインを判別する。
【００２５】
また、選別コイル１１は、制御部９からの駆動信号により所定の周波数で駆動される発振コイルおよび発振コイルと磁気的に接続された受信コイルとから構成され、選別センサ１０で選別された硬貨の正偽の識別を行い、正貨と識別した際には硬貨の金種の識別を行う。なお、選別コイル１１は選別センサ１０のように硬貨であるかＩＣコインであるか選別することもできるので、選別コイル１１により硬貨とＩＣコインとの選別と、硬貨の正偽および金種の識別とを行う構成を用いても良い。
【００２６】
また、振分部１２は、硬貨を振り分ける振分レバーと振分レバーを駆動する振分ソレノイドとから構成され、正貨と偽貨とを振り分け、正貨の場合は更に金種の振り分けを行う。
【００２７】
また、パスセンサ１３は、振分部１２で振り分けられた正貨の通過を検出する。
【００２８】
また、払出モータ１４は、硬貨およびＩＣコインの払い出しを行う。
【００２９】
また、エンプティスイッチ１５は、硬貨を保有するコインチューブの所定位置に配設され、コインチューブの硬貨の保有枚数がコインチューブに対応して設定された一定値以下になると動作する。
【００３０】
また、データ交換制御部１６は、自動販売機の主制御装置２との間で行われるデータ交換の制御を行う。
【００３１】
また、アンテナ制御部１７は、ＩＣコインに対して非接触で、ＩＣコインに埋設されたＩＣチップ内に予め記憶されている情報等の読み出し、ＩＣチップに対する情報の書き込みを行うアンテナを制御する。ここで、ＩＣコインがアンテナに到達すると、アンテナはＩＣコインのＩＣチップにアクセスして情報等を読み出し、読み出した情報が硬貨処理装置３の記憶情報を収集するものであると認識した場合、その情報に従って情報記憶部１８に記憶している記憶情報を取得してＩＣコインのＩＣチップに書き込む処理を行う。また、読み出した情報が金銭情報であると認識した場合、読み出した金銭情報から商品販売に使用する金銭情報を減算し、減算した金銭情報をＩＣチップに書き換える処理を行う。また、読み出した情報が商品販売等によって発生するポイント数に関する情報であると認識した場合、読み出したポイント数に商品販売により獲得したポイント数を加算し、加算したポイント数をＩＣチップに書き換える処理を行う。
【００３２】
また、情報記憶部１８は、硬貨処理装置３における稼動履歴情報（例えば、販売回数、エラー情報および受入率等）、設定情報、制御ソフトウェアのバージョン情報等の記憶情報を格納している。
【００３３】
図３は、ＩＣコイン１９を用いた硬貨処理装置３の記憶情報の収集を行う際の硬貨処理装置３の機能的な動作を説明するブロック図である。
【００３４】
ユーザは、ＩＣコインリーダー・ライター等によって記憶情報の収集を示す情報を記憶されたＩＣコイン１９を自動販売機１に投入する。そして、ＩＣコイン１９が硬貨処理装置３に投入されると、選別センサ１０が選別を行う。
【００３５】
選別センサ１０がＩＣコインであると選別した際に、ＩＣコイン１９は選別コイル１１に到達しても、選別コイル１１はＩＣコイン１９の識別を行わず、選別コイル１１を通過したＩＣコイン１９はアンテナ部２０に到達すると、アンテナ部２０で一時的に保留される。なお、選別コイル１１により硬貨とＩＣコインとの選別と、硬貨の正偽および金種の識別とを行う構成の場合は、選別コイル１１がＩＣコインであると選別した際に、ＩＣコインは識別を行われずに、アンテナ部２１に到達する。
【００３６】
アンテナ部２０には、アンテナ２１が配置されていて、ＩＣコイン１９がアンテナ部２０で保留された際に、アンテナ２１はＩＣコイン１９に埋設されたＩＣチップに記憶された情報を読み出し、読み出した情報をアンテナ制御部１７に送る。
【００３７】
アンテナ制御部１７はアンテナ２１が読み出した情報を受け取ると、情報の種類を認識し、その情報が硬貨処理装置３の記憶情報を収集するものであると認識した場合、アンテナ制御部１７が記憶情報の収集の通知を制御部９に送ると、制御部９は、その通知に従って情報記憶部１８に記憶している記憶情報をアンテナ制御部１７に送り、アンテナ制御部１７は記憶情報を受け取ると、ＩＣコイン１９に記憶情報を書き込む。
【００３８】
そして、記憶情報の書き込みが終了すると、保留されているＩＣコイン１９をアンテナ部２０から返却口に戻す。なお、情報の書き込み終了時に表示装置６から書き込み終了の旨をユーザに知らせ、ユーザが返却レバー等を操作することでＩＣコイン１９を返却口に戻す構成を用いても良い。
【００３９】
例えば、硬貨処理装置３の記憶情報の収集として、自動販売機１毎に適切なメンテナンス時期を把握する目的で、硬貨処理装置３に蓄積されている販売回数、エラー情報および受入率等の情報である稼動履歴情報、硬貨処理装置３の設定情報、硬貨処理装置３の制御ソフトウェアのバージョン情報等をＩＣコイン１９を用いて収集することができる。
【００４０】
次に、ＩＣコイン１９を用いた硬貨処理装置３の記憶情報の収集を行う際の硬貨処理装置３の処理手順について図４に示すフローチャートを参照して説明する。
【００４１】
ユーザが硬貨処理装置に硬貨若しくはＩＣコインを投入し（ステップＳ４０１）、選別センサが選別し（ステップＳ４０２）、ＩＣコインと選別された場合（ステップＳ４０３でＹＥＳ）、ＩＣコインを一時的に保留し（ステップＳ４０４）、ＩＣコインに記憶された情報を読み出し（ステップＳ４０５）、情報記憶部に蓄積されている記憶情報をＩＣコインに書き込み（ステップＳ４０６）、記憶情報の書き込みが終了すると、ＩＣコインを返却し（ステップＳ４０７）、処理手順を終了する。
【００４２】
なお、ステップＳ４０３において、硬貨であると選別された場合（ステップＳ４０３でＮＯ）、硬貨を処理し（ステップＳ４０８）、処理手順を終了する。
【００４３】
上記第１の実施の形態では、ＩＣコイン１９を用いて硬貨処理装置３の記憶情報の収集を行う構成について説明してきたが、ＩＣコイン１９を用いて自動販売機１の記憶情報、自動販売機１に接続されている各装置の記憶情報の収集を行う構成もできる。
【００４４】
次に、本発明に係わる硬貨処理装置の制御装置および方法の第２の実施の形態について説明する。
【００４５】
図５は、本発明に係わる硬貨処理装置の制御装置および方法の第２の実施の形態における自動販売機１内部の構成の一例を示すブロック図である。
【００４６】
図５に示すように、自動販売機１は自動販売機の主制御装置２、硬貨処理装置３、紙幣処理装置４、商品払出制御装置５、表示装置６、キー入力装置７、記憶装置２２から構成されている。なお、記憶装置以外の各装置の機能については、図１で説明した場合と同様なので、省略する。
【００４７】
ここで、記憶装置２２は自動販売機の主制御装置２に内蔵されており、自動販売機１における稼動履歴情報（例えば、販売回数、エラー情報および受入率等）、設定情報、制御ソフトウェアのバージョン情報等の記憶情報を格納している。
【００４８】
なお、第２の実施の形態における硬貨処理装置３内部の構成は、第１の実施の形態と同様であるため（図２参照）、省略する。
【００４９】
図６は、ＩＣコイン１９を用いた自動販売機１および自動販売機１に接続されている各装置の記憶情報等の収集を行う際の硬貨処理装置３の機能的な動作を説明するブロック図である。
【００５０】
ユーザは、ＩＣコインリーダー・ライター等によって自動販売機１および自動販売機１に接続されている各装置の記憶情報等の収集を示す情報を記憶されたＩＣコイン１９を自動販売機１に投入する。そして、ＩＣコイン１９がアンテナ部２０に到達するまでは、図３で説明した場合と同様なので、省略する。
【００５１】
ＩＣコイン１９がアンテナ部２０で保留された際に、アンテナ２１はＩＣコイン１９に埋設されたＩＣチップに記憶された情報を読み出し、読み出した情報をアンテナ制御部１７に送る。
【００５２】
アンテナ制御部１７はアンテナ２１が読み出した情報を受け取ると、情報の種類を認識し、その情報が自動販売機１および各装置の記憶情報等を収集するものであると認識した場合、アンテナ制御部１７が自動販売機１および各装置の記憶情報の収集の依頼を制御部９に送り、制御部９は依頼を受け取ると、データ交換制御部１６に自動販売機１および各装置の記憶情報の収集の依頼を送り、データ交換制御部１６は依頼を受け取ると、シリアル通信バス８を介して自動販売機の主制御装置２に自動販売機１および各装置の記憶情報の収集の依頼を送信する。
【００５３】
自動販売機の主制御装置２は依頼を受信すると、依頼に従って記憶装置２２に蓄積されている記憶情報、紙幣処理装置４に蓄積されている記憶情報、商品払出制御装置５に蓄積されている記憶情報を読み出し、シリアル通信バス８を介してデータ交換制御部１６に読み出した記憶情報を送信する。
【００５４】
データ交換制御部１６が記憶情報を受け取ると、制御部９は記憶情報をアンテナ制御部１７に送り、アンテナ制御部１７は記憶情報を受け取ると、ＩＣコイン１９に記憶情報を書き込む。
【００５５】
そして、記憶情報の書き込みが終了すると、保留されているＩＣコイン１９をアンテナ部２０から返却口に戻す。なお、情報の書き込み終了時に表示装置６から書き込み終了の旨をユーザに知らせ、ユーザが返却レバー等を操作することでＩＣコイン１９を返却口に戻す構成を用いても良い。
【００５６】
例えば、自動販売機１の記憶情報の収集として、自動販売機１毎に適切なメンテナンス時期を把握する目的で、自動販売機１に蓄積されている販売回数、エラー情報および受入率等の情報である稼動履歴情報、設定情報、制御ソフトウェアのバージョン情報等の記憶情報、自動販売機１に接続されている各装置の記憶情報をＩＣコイン１９を用いて収集することができる。
【００５７】
次に、ＩＣコイン１９を用いた自動販売機１および自動販売機１に接続されている各装置の記憶情報の収集を行う際の硬貨処理装置３の処理手順について図７に示すフローチャートを参照して説明する。
【００５８】
ユーザが硬貨処理装置に硬貨若しくはＩＣコインを投入し（ステップＳ７０１）、選別センサが選別し（ステップＳ７０２）、ＩＣコインと選別された場合（ステップＳ７０３でＹＥＳ）、ＩＣコインを一時的に保留し（ステップＳ７０４）、ＩＣコインに記憶された情報を読み出し（ステップＳ７０５）、読み出した情報が自動販売機または各装置の記憶情報の収集を示すものである場合（ステップＳ７０６でＹＥＳ）、自動販売機の主制御装置に記憶情報の収集の依頼を送信し（ステップＳ７０７）、自動販売機の主制御装置から記憶情報を取得し（ステップＳ７０８）、取得した記憶情報をＩＣコインに書き込み（ステップＳ７０９）、記憶情報の書き込みが終了すると、ＩＣコインを返却し（ステップＳ７１０）、処理手順を終了する。
【００５９】
なお、ステップＳ７０６において、硬貨処理装置の記憶情報の収集を示すものである場合（ステップＳ７０６でＮＯ）、情報記憶部に蓄積されている記憶情報をＩＣコインに書き込み（ステップＳ７１１）、ステップＳ７１０に進む。
【００６０】
なお、ステップＳ７０３において、硬貨であると選別された場合（ステップＳ７０３でＮＯ）、硬貨を処理し（ステップＳ７１２）、処理手順を終了する。
【００６１】
なお、上記実施形態では、ＩＣコイン１９に対するアンテナ２１の制御、およびＩＣコイン１９から読み出した情報の種類の認識等を行うアンテナ制御部１７を硬貨処理装置３に内蔵する構成を一例にして説明してきたが、アンテナ制御部１７を硬貨処理装置３から独立する構成を用いても良い。
【００６２】
従って、自動販売機１の管理者は自動販売機１の開閉を行う必要が無く、ＩＣコイン１９を自動販売機１に投入する行為のみで、硬貨処理装置３の記憶情報の収集、自動販売機１の記憶情報の収集、および自動販売機１に接続されている各装置の記憶情報の収集を行うことができ、作業の簡素化が行える。
【００６３】
また、ＩＣコイン１９は複数の硬貨処理装置３および自動販売機１に対して共用できるので、複数の自動販売機１を巡回する管理者は１枚のＩＣコイン１９により、複数の硬貨処理装置３および自動販売機１に対応することができる。
【００６４】
【発明の効果】
以上説明したように本発明によれば、コイン型のＩＣコインを用いることで、自動販売機の扉を開けることなく、硬貨処理装置および自動販売機の稼動履歴情報、設定情報、制御ソフトウェアのバージョン情報等の記憶情報等の収集を行うことが可能になるので、作業性が向上し、また、自動販売機の販売の一時停止時間を短縮することができるので、商品販売の機会を増やすことが可能になり、また、必要とする行為はＩＣコインを投入するだけなので、作業ミスを起こす可能性が低下するという効果を奏する。
【図面の簡単な説明】
【図１】本発明に係わる硬貨処理装置の制御装置および方法の第１の実施の形態における自動販売機１内部の構成の一例を示すブロック図である。
【図２】硬貨処理装置３内部の構成の一例を示すブロック図である。
【図３】ＩＣコイン１９を用いた硬貨処理装置３の記憶情報の収集を行う際の硬貨処理装置３の機能的な動作を説明するブロック図である。
【図４】ＩＣコイン１９を用いた硬貨処理装置３の記憶情報の収集を行う際の硬貨処理装置３の処理手順を示すフローチャートである。
【図５】本発明に係わる硬貨処理装置の制御装置および方法の第２の実施の形態における自動販売機１内部の構成の一例を示すブロック図である。
【図６】ＩＣコイン１９を用いた自動販売機１および自動販売機１に接続されている各装置の記憶情報等の収集を行う際の硬貨処理装置３の機能的な動作を説明するブロック図である。
【図７】ＩＣコイン１９を用いた自動販売機１および自動販売機１に接続されている各装置の記憶情報の収集を行う際の硬貨処理装置３の処理手順を示すフローチャートである。
【符号の説明】
１    自動販売機
２    自動販売機の主制御装置
３    硬貨処理装置
４    紙幣処理装置
５    商品払出装置
６    表示装置
７    キー入力装置
８    シリアル通信バス
９    制御部
１０    選別センサ
１１    選別コイル
１２    振分部
１３    パスセンサ
１４    払出モータ
１５    エンプティスイッチ
１６    データ交換制御部
１７    アンテナ制御部
１８    情報記憶部
１９    ＩＣコイン
２０    アンテナ部
２１    アンテナ
２２    記憶装置
【図１】
2004206420.tif 000003
【図２】
2004206420.tif 000004
【図３】
2004206420.tif 000005
【図４】
2004206420.tif 000006
【図５】
2004206420.tif 000007
【図６】
2004206420.tif 000008
【図７】
2004206420.tif 000009